(57)【要約】【課題】しゃもじを鍋の底面に沿って強く動かす時に鍋が傾いた場合、鍋と収納部の内面に設けた先端部が略平面の弾性体の鍋の回り止め部材が接触して抵抗となり、鍋の回転を規制する炊飯器を提供することを目的とする。【解決手段】収納部３０の上端部内面に、少なくとも３個のガイドローラー１９とガイドローラー１９に装着したゴムローラー２１を設け、２個のガイドローラー１９の略中間垂直下方位置に先端部が略平面の弾性体の鍋の回り止め部材３４を設ける構成としたことにより、しゃもじを鍋１１の底面に沿って強く動かす時に鍋１１が傾いた場合、鍋１１と収納部３０の内面に設けた弾性体の鍋の回り止め部材３４が接触して抵抗となり、鍋１１の回転を規制する。【選択図】図１
2006006681.tif 000002
【特許請求の範囲】
【請求項１】
上面が開口した本体と、前記本体の収納部に着脱自在に収納される鍋と、前記収納部を開閉自在に覆う蓋と、前記鍋を誘導加熱する誘導加熱手段と、前記収納部に設けた重量検出装置とを備え、前記収納部の上端内面に、少なくとも３個のガイドローラーと前記ガイドローラーに装着したゴムローラーとを設け、前記２個のガイドローラーの略中間位置の鉛直下方に先端部が略平面形状の弾性体の鍋の回り止め部材を設けた炊飯器。
【請求項２】
鍋の回り止め部材が、膜形状のゴムである請求項１記載の炊飯器。
【請求項３】
鍋の回り止め部材がゴムの小突起である請求項１記載の炊飯器。
【請求項４】
上面が開口した本体と、前記本体の収納部に着脱自在に収納される鍋と、前記収納部を開閉自在に覆う蓋と、前記鍋を誘導加熱する誘導加熱手段と、前記収納部に設けた重量検出装置とを備え、前記収納部の上端内面に、少なくとも３個のガイドローラーと前記ガイドローラーに装着したゴムローラーとを設け、前記収納部の内面の下方に凹みを設けた炊飯器。
【発明の詳細な説明】
【技術分野】
【０００１】
本発明は重量計測手段により米計量に合致した最適な水計量を得て所望の炊飯が行えるようにした炊飯器に関するものである。
【背景技術】
【０００２】
従来この種の炊飯器は炊飯ヒーターの上に内鍋を載せて、内鍋と被炊飯物と炊飯ヒーターの全体重量を重量計測手段により計量して、米計量に合致した最適な水計量を得ようとしている（例えば、特許文献１参照）。
【０００３】
図５は、特許文献１に記載された従来の重量センサーを用いた炊飯器を示すものである。図５に示すように、炊飯器本体１は、内鍋２、内容器３、炊飯ヒーター４、重量検出装置５を備えている。重量検出装置５はシャーシー６、歪みゲージを貼付した板バネ７、テーブル８で構成されている。内容器３底面に重量検出装置５のシャーシー６が固定され、シャーシー６と板バネ７、テーブル８は底面に対して略平行に取付けられ、テーブル８には炊飯ヒーター４が取付けられ、内鍋２は炊飯ヒーター４上に載る。
【０００４】
上記構成において内鍋に米や水の被炊飯物を入れ、本体に収納すると、被炊飯物の重量は炊飯ヒーター４、テーブル８を介して板バネ７に伝わり、板バネ７に貼付した歪みゲージの歪み量を電圧等に変換して被炊飯物の重量を検知する。
【特許文献１】特許第２８３２４５５号公報
【発明の開示】
【発明が解決しようとする課題】
【０００５】
しかしながら、従来例では被炊飯物を入れた鍋２を本体１に収納する時、鍋２はテーブル８に載り、テーブル８には鍋２が炊飯器本体１の鍋収納部と接触しないように鍋の位置決め部材を有していた。また、鍋２の底面はテーブル８面に載っているので、鍋２の回転は阻止されていた。鍋の加熱手段を誘導加熱コイルとして誘導加熱式炊飯器とした場合、鍋の底と誘導加熱コイルとの間の隙間は狭くてテーブルを設けることが出来ないので、炊きあがったご飯をしゃもじでほぐす時やご飯を茶碗へよそう時、鍋が容易には回転しないようにしなければならないという課題を有していた。
【０００６】
本発明は前記課題を解決するもので、誘導加熱式炊飯器であって、鍋の回転を阻止できる炊飯器を提供することを目的とする。
【課題を解決するための手段】
【０００７】
前記従来の課題を解決するために本発明の炊飯器は、収納部の上端内面に、少なくとも３個のガイドローラーとガイドローラーに装着したゴムローラーとを設け、２個のガイドローラーの略中間位置の鉛直下方に先端部が略平面形状の弾性体の鍋の回り止め部材を設けたものである。
【０００８】
これによって、炊きあがったご飯をほぐすために、しゃもじを鍋の底面に沿って強く動かす時に鍋が傾いた場合、鍋と収納部の内面に設けた弾性体の鍋の回り止め部材が接触して抵抗となり、鍋の回転を阻止することができる。
【発明の効果】
【０００９】
本発明の炊飯器は、しゃもじで鍋のご飯をほぐしたり、よそう時、鍋の回転を阻止することができる。
【発明を実施するための最良の形態】
【００１０】
本発明の請求項１に記載の発明は、上面が開口した本体と、前記本体の収納部に着脱自在に収納される鍋と、前記収納部を開閉自在に覆う蓋と、前記鍋を誘導加熱する誘導加熱手段と、前記収納部に設けた重量検出装置とを備え、前記収納部の上端内面に、少なくとも３個のガイドローラーと前記ガイドローラーに装着したゴムローラーとを設け、前記２個のガイドローラーの略中間位置の鉛直下方に先端部が略平面形状の弾性体の鍋の回り止め部材を設けたことにより、しゃもじを鍋の底面に沿って強く動かす時に鍋が傾いた場合、鍋と収納部の内面に設けた先端部が略平面のリップ状弾性体の鍋の回り止め部材が接触して抵抗となり、鍋を固定することができる。
【００１１】
本発明の請求項２に記載の発明は、収納部の内面にゴムを膜状に付けた鍋の回り止め部材を設け、しゃもじを鍋の底面に沿って強く動かす時に鍋が傾いた場合、鍋と収納部の内面に設けた鍋の回り止め部材が接触して抵抗となり、鍋を固定することができる。
【００１２】
本発明の請求項３に記載の発明は、収納部の内面にゴムの小突起を設け、しゃもじを鍋の底面に沿って強く動かす時に鍋が傾いた場合、鍋と収納部の内面に設けたゴムの小突起が接触して抵抗となり、鍋を固定することができる。
【００１３】
本発明の請求項４に記載の発明は、上面が開口した本体と、前記本体の収納部に着脱自在に収納される鍋と、前記収納部を開閉自在に覆う蓋と、前記鍋を誘導加熱する誘導加熱手段と、前記収納部に設けた重量検出装置とを備え、前記収納部の上端内面に、少なくとも３個のガイドローラーと前記ガイドローラーに装着したゴムローラーとを設け、前記収納部の内面の下方に凹みを設けたもので、しゃもじを鍋の底面に沿って強く動かす時に鍋が傾いた場合、鍋と収納部の内面が接触して滑りながら鍋が回転することがなく、ゴムローラーと鍋の外側面との接触抵抗により、鍋を固定することができる。
【００１４】
（実施の形態１）
図１は本発明の第１の実施の形態における炊飯器の断面図を示すものである。図２は同炊飯器の要素部品のガイドローラー１９、ゴムローラー２１の断面図、図３は同炊飯器の操作時の断面図、図６は同炊飯器の平面図を示す。
【００１５】
図１において、炊飯器の本体１０には、その上面を覆う蓋２０が開閉自在に設置されている。本体１０の収納部３０は上方の上枠１２と下方のコイルベース１３とから構成される。収納部３０に収納する鍋１１は、ステンレススチール、鉄など磁性体によって形成される。鍋１１は、上端開口部に外側にせり出したフランジ１１ａを有し、フランジ１１ａを上枠１２の上端から浮き上がった状態で載置することにより、収納部３０に着脱自在に収納される。鍋１１は収納時に、収納部３０との間に隙間を有する。コイルベースの鍋１１底部に対向する部分に鍋１１を誘導加熱する誘導加熱コイル１４が配設される。誘導加熱コイル１４は鍋１１の底部の中心の略真下に中心を有する巻線である。収納部３０の内面の１部で２個のガイドローラー１９の略中間位置には、先端部が略平面となったゴム系の弾性体から成る鍋の回り止め部材３４が設けられている。
【００１６】
本体１０の底部には歪みセンサーを貼付した起歪体１６と起歪体１６を固定する固定台１７と起歪体１６のもう一方の端部に固定し、鍋１１の重量を受ける鍋受け筒１５からなる重量検知手段３１を備えている。鍋受け筒１５内には、温度検知手段１８が設けられ、コイルバネで付勢されており、鍋１１を鍋受け筒１５上に載置すると、温度検知手段１８が鍋１１の底面に当接する。上枠１２の上端部にはガイドローラー１９が設けられており、ガイドローラー１９にはゴムローラー２１が装着されている。本体１０内部には制御基板２２、操作基板２３が設けられている。制御基板２２にはマイクロコンピューター（図示しない）が搭載されている。マイクロコンピューターはソフトウエアにより、誘導加熱コイル１４に交番磁界を発生させるための電流を制御する。本実施の形態の炊飯器は、鍋１１を誘導加熱し、鍋１１内調理物２４を加熱調理する。調理物２４は、炊飯前の米と水または炊き上がったご飯等である。
【００１７】
図６に示すように、本体１０の前部には本炊飯器の操作部２５、表示部２６、水加減を表示するＬＥＤ２７、確定ボタン２８、炊飯ボタン２９が設けられている。
【００１８】
図２によってガイドローラー１９の構成案を説明する。ガイドローラー１９の軸穴３２は中央部の径が小さく、その両側の穴径が大きくなっている。中央部から外へ向かってテーパー状の穴でも同じである。このような軸穴とすることによって、ガイドローラー１９は軸３３を中心にある範囲で回転中心が変化する。また、ゴムローラー２１の断面形状は鍋１１の半径に合わせて凹形状となっており、また、表面が鏡面状に滑らかで、ガイドローラー１９の両端がゴムローラー２１の両端内面と密着し、中間部に空間を有する。
【００１９】
以上のように構成された炊飯器について、以下その動作、作用を説明する。蓋を開けて、本体の電源を入れるとマイクロコンピューターと重量検知装置に通電され、マイクロコンピューターは予め鍋の重量が記憶されているので、鍋の有無を検知する。例えば、空の鍋が入っている状態では本体前面の表示部には「米計量中」の表示が出る。次に、米計量を確定する確定ボタンを押すと、表示部に米の量と水加減中の表示がでる。無洗米の場合は、鍋に水を入れていくとＬＥＤが左から順次点灯する。米を入れただけの状態では、左端の位置のＬＥＤが点灯する。中央が普通の水加減で中央より右が柔らかめ、中央より左が固めの水加減となる。好みの水加減に設定した後、炊飯ボタンを押すと、炊飯が開始し、設定した硬さのご飯が炊き上がる。米を洗う場合は、確定ボタンを押した後、鍋を取り出し、洗米し、再度、鍋を本体に設置する。この時、鍋は鍋受け筒で鍋底の略中央を支持されると同時に、上枠に設けられたガイドローラー１９に装着したゴムローラー２１が鍋の上端部に軽く接触し、鍋と米と水の重量が計量される。無洗米と同様に、鍋に水を注ぎ足していくと、ＬＥＤが左から順次点灯するので、好みの水加減に調節して炊飯ボタンを押して、炊飯を開始する。炊飯終了後、ご飯をほぐしたり茶碗にご飯をよそう時、しゃもじの操作で鍋が回転しようとするが、上枠上端に設けたゴムローラー２１の断面形状は鍋の半径の合わせて凹形状となっており、ゴムローラー２１の凹面が鍋の側面に接触して鍋の回転を固定する。また、図３に示すように、しゃもじを鍋の底面に沿って強く動かす時に鍋が傾いた場合、鍋と収納部の内面に設けた先端部が略平面の弾性体の鍋の回り止め部材３４が密着して抵抗となり、鍋の回転を阻止する。
【００２０】
また、本実施の形態の先端部が略平面の弾性体の鍋の回り止め部材３４を、図４に示すように、ゴムを膜状に付けた鍋の回り止め部材３４ａとすることにより、鍋が傾いた場合、鍋の回り止め部材３４ａとの接触面積が広くできるため、鍋の回転を止める効果が大きくなる。
【００２１】
また、本実施の形態の先端部が略平面のゴム系の弾性体から成る鍋の回り止め部材３４を、図５に示すように、ゴムの小突起３４ｂとすることにより、鍋が傾いた場合、鍋とゴムの小突起３４ｂとの接触する機会が増えて、鍋の回転を止める効果が大きくなる。
【００２２】
（実施の形態２）
図７は本発明の第２実施の形態における炊飯器の断面図である。図７において、収納部３０の内面に凹み３４ｃを設けている。
【００２３】
上記構成にすることにより、鍋底をしゃもじで強くすくう時、鍋が傾いても鍋の側面と収納部は接触することがなく、鍋のフランジの一部が上枠の上面に当り、ゴムローラー２１の凹面が鍋の側面に密着して鍋を固定する。
【産業上の利用可能性】
【００２４】
以上のように、本発明にかかる炊飯器の鍋を固定する構成は、民生用のみならず業務用の炊飯器にも適用できる。
【図面の簡単な説明】
【００２５】
【図１】本発明の実施の形態１における炊飯器の断面図
【図２】同要部断面図
【図３】同操作時の断面図
【図４】同別構成の断面図
【図５】同別構成の断面図
【図６】同平面図
【図７】本発明の実施の形態２における炊飯器の平面図
【図８】従来の炊飯器を示す断面図
【符号の説明】
【００２６】
１０  本体
１１  鍋
１９  ゴムローラー
２０  蓋
２１  ガイドローラー
３０  収納部
３１  重量検出装置
３４  鍋の回り止め部材
【図１】
2006006681.tif 000003
【図２】
2006006681.tif 000004
【図３】
2006006681.tif 000005
【図４】
2006006681.tif 000006
【図５】
2006006681.tif 000007
【図６】
2006006681.tif 000008
【図７】
2006006681.tif 000009
【図８】
2006006681.tif 000010